(57)【要約】可変情報をテープ上に印刷してテープセグメントを形成するための装置であって、テープセグメントを目的物（６）の上に貼着し、このテープセグメントを切断する装置。この装置は、情報をテープセグメント上に印刷するためのプリンタを含む。コントローラ（２０）は、テープ上に印刷される情報を変化させるための入力に応答して、プリンタを制御する。プリントされたテープセグメントは、目的物上に貼着する位置に搬送され、切断される。テープがテープロールから取り外され巻きが解かれたときのテープのテンションは、テープがプリンタに対して実質的に均一な速度で提供されると共にテープの痙攣様の動作を減じるように、制御される。その情報は、それが異なったテープセグメント上の所定位置に設けられるように、位置決めされる。
2004503411.tif 000002
【特許請求の範囲】
【請求項１】
テープセグメントを形成するためのテープロールからのテープ上に情報を印刷するための装置であって、
情報をテープ上に印刷するためのプリンタであって、プラテンローラを有するプリンタと、
ローラを備え前もってテープロールからテープを剥ぐためのプリストリップモータであって、テープをテープロールから取り外すときにテープの巻き解し張力を制御して実質的に均一な速度でテープをプリンタに供給すると共にテープのプリンタ通過時におけるテープの痙攣的動作を減じるようにしたプリストリップモータと、
プリストリップモータの回転を要することなくプリストリップモータのローラの回転を許容するオーバーランクラッチベアリングと、を備えた装置。
【請求項２】
さらに、上記テープの上に印刷される情報を変化させるための入力に応じて上記プリンタを制御し該テープの上に種々の情報を印刷させるコントローラを備えた、請求項１記載の装置。
【請求項３】
上記印刷されたテープセグメントは、目的物上の貼着位置に搬送され、該テープセグメントは、次のテープセグメントの貼着が実行されるように該目的物上に貼着されるようにした、請求項２記載の装置。
【請求項４】
上記テープセグメントが貼着されるべき上記目的物は、ボックスであって、側面と、コーナ部と、ボックスが閉じられるシームとを有するボックスであり、
上記テープセグメントは、少なくとも１つの側面と、コーナ部と、シームとの上に貼着されるようにした、請求項１記載の装置。
【請求項５】
上記テープセグメントは、上記ボックスの上記シームの少なくとも１つに沿って貼着され、これにより、ボックスは、情報が印刷されたテープセグメントであって搬送時及び取り扱い時にボックスを閉じ状態に維持するテープセグメントにより閉じられるようにした、請求項４記載の装置。
【請求項６】
上記プリンタは、熱転写プリンタと、インクジェットプリンタと、レーザープリンタの中の少なくとも１つを備える、請求項１記載の装置。
【請求項７】
テープを用いてボックスを閉じるためのケース閉じ装置であって、請求項１記載の装置を備えたケース閉じ装置。
【請求項８】
テープセグメントを形成するためのテープ上に情報を印刷するための装置であって、
プラテンローラを備えテープ上に情報を印刷するためのプリンタと、
印刷されるべき情報をテープ上の特定の部位に位置決めするための手段であって、特定の印刷される情報が、各テープセグメント上の印刷材料の変動に関わり無く、異なったテープセグメント上の所定部位に位置するようにした手段と、を備えた装置。
【請求項９】
テープセグメントを形成するためのテープ上に情報を印刷するための装置であって、
プラテンローラを備えテープ上に情報を印刷するためのプリンタと、
必要時に、印刷されていないテープを供給し印刷されるべき情報をテープ上の特定の部位に位置決めする位置決め装置であって、印刷される特定の情報が、各テープセグメント上の印刷材料の変動に関わりなく、異なったテープセグメント上の所定位置に位置するようにした位置決め装置と、を備えた装置。
【請求項１０】
印刷された上記テープセグメントは、目的物上の貼着位置に搬送され、該テープセグメントは、次のテープセグメントの貼着が実行されるように該目的物上に貼着されるようにした、請求項９記載の装置。
【請求項１１】
上記テープセグメントが貼着されるべき目的物は、ボックスであって、側面と、コーナ部と、ボックスが閉じられるシームとを備えたボックスであり、
テープセグメントは、少なくとも１つの側面と、コーナ部と、シームとの上に貼着されるようにした、請求項９記載の装置。
【請求項１２】
上記テープセグメントは、上記ボックスの上記シームの少なくとも１つに沿って貼着され、
ボックスは、情報が印刷されたテープセグメントであって搬送時及び取り扱い時にボックスを閉じ状態に維持するテープセグメント、により閉じられるようにした、請求項１１記載の装置。
【請求項１３】
上記プリンタは、熱転写プリンタと、インクジェットプリンタと、レーザープリンタの中の少なくとも１つを備えた請求項９記載の装置。
【請求項１４】
更に、上記テープ上に印刷される情報を変動させるための入力に応答して、上記プリンタを制御するコントローラを備えた、請求項９記載の装置。
【請求項１５】
テープを用いてボックスを閉じるためのケース閉じ装置であって、請求項９記載の装置を備えたケース閉じ装置。
【請求項１６】
更に、少なくとも１つの固定された端部ローラと、少なくとも１つの移動自在なダンサローラと、を備え、
ダンサローラは、テープ通しを容易化する上記端部ローラに隣接するスレッドアップ位置と、上記プリンタが作動する少なくとも１つのラン位置との間で移動自在である、請求項９記載の装置。
【請求項１７】
上記ダンサローラは、ホーム位置と消耗位置とを含む複数のラン位置の間で移動自在であり、
ホーム位置において、ダンサローラは、消耗位置におけるよりも、上記固定された端部ローラからより遠くに隔てられた、請求項１６記載の装置。
【請求項１８】
更に、位置決めセンサと、ポーズセンサとを備え、
ダンサローラがホーム位置にあるとき、位置決めセンサは信号を出し、
ダンサローラがこの位置を通過するとき、ポーズセンサがクリアされてダンサローラがホーム位置に復帰するまで、上記プリンタは上記テープへの印刷を中止する、請求項１６記載の装置。
【請求項１９】
テープセグメントを形成するためのテープ上に情報を印刷するための装置であって、
情報をテープ上に印刷するためのプリンタであって、プラテンローラを有するプリンタと、
テープがプラテンローラの周囲に巻き付くことを防止すると共にテープがジャミングすることを防止するための手段とを備えた装置。
【請求項２０】
テープセグメントを形成するためのテープ上に情報を印刷するための装置であって、
情報をテープ上に印刷するためのプリンタであって、プラテンローラを有するプリンタと、
テープがプラテンローラの周囲に巻き付き始めたか否かを検知するアンチラップセンサと、を備え、
アンチラップセンサがテープを検知したとき、該センサは、システムのテープ搬送部に対してプラテンローラの動作を停止させる信号を発し、これにより、テープがプラテンプラテンローラの周囲に巻き付くことを防止すると共にテープがジャミングすることを防止するようにした、装置。
【請求項２１】
上記プリンタは、更に、プラテンローラクラッチを備え、　上記プラテンローラの動作は、プラテンローラクラッチとの係合が解かれることによって停止せしめられるようにした、請求項２０記載の装置。
【請求項２２】
テープセグメントを形成するためのテープロールからのテープ上に情報を印刷するための装置であって、
情報をテープ上に印刷するためのプリンタと、
プラテンローラと、
プラテンローラ上に支持されるオーバーランクラッチと電気クラッチの中の少なくとも１つであるクラッチと、を備え、
クラッチにより、プラテンローラと駆動機構との係合が解かれて、テープがプリンタ内に通されるようにした、装置。
【請求項２３】
テープのＣ−クリップであって所望の全長を有するＣ−クリップがロールから切断される前に、該Ｃ−クリップの前面部と上面部と背面部とに印刷する方法であって、
（ａ）第１の情報を第１のＣ−クリップの前面部に印刷するステップと、
（ｂ）第２の情報を第１のＣ−クリップの上面部に印刷するステップと、
（ｃ）第３の情報を第２のＣ−クリップの背面部に印刷するステップと、
（ｄ）所望の全長の第１のＣ−クリップを形成するために、必要に応じて、テープを移動させるステップと、
（ｅ）（ａ），（ｂ），（ｃ）及び（ｄ）のステップを繰り返すステップと、を含む方法。
【請求項２４】
上記ステップを実行する順序は、（ａ），（ｂ），（ｃ），（ｄ），（ｅ）と、（ｃ），（ａ），（ｂ），（ｄ），（ｅ）と、（ｂ），（ｃ），（ａ），（ｄ），（ｅ）の中の１つである請求項２３記載の方法。
【発明の詳細な説明】
【０００１】
（技術分野）
本願発明は、テープの印刷に関する。より詳しくは、本願発明は、テープに印刷して該テープを面上に貼着することに関する。
【０００２】
（背景技術）
典型的に製品を収納したり輸送したりするための（ボックス（箱）と呼ばれる）コンテナやパッケージやカートンやケースは、そのフラップやカバーを固定するために、ボックスシーリングテープ（箱密閉テープ）や貼着テープ（粘着テープ）が用いられている。これにより、通常の輸送時や取り扱い時や収納時に、ボックスは不用意に開かないであろう。ボックスシーリングテープは、その全体的な分配サイクルを通して、ボックス（箱）の完全性（全体性）を維持する。ボックスシーリングテープは、ボックスの他の部分や、他の基層（接着基面、支持層）にも用いることができる。そして、該ボックスシーリングテープは、ラベルに対して同様の方法で機能するように、用いることができる。これらのテープは、ロール形状やパッド形状で作成することができる。それらは、透明や、半透明や、不透明であることができ、プリントされた情報、又はテープに適用（貼着）された情報、又はテープ内若しくはテープ上に含まれた情報、を有することができる。
【０００３】
これらのボックスは、一般に、内容物についての情報を表示する。この情報は、最も一般には、箱上に位置しており、この情報は、ロット番号や、日付けコード、製品特定情報や、バーコードを含み得る。この情報は、種々の方法によって、箱上に設けられることができる。これらのものは、その製造時に、箱への前刷りを含むことができ、また、使用時に、インクドットのパターンをスプレー（噴霧）してイメージを形成するインクジェット方式のコーダによる、若しくはフレキソ印刷インクローリングコーダシステムによる、ボックス上へのこの情報の印刷を含むことができる。他のアプローチは、ラベルの使用を含むものであり、典型的には、手作業によるか若しくはオンラインによる自動ラベル貼着装置により、前刷りされた情報を有する白紙の使用を含むものである。
【０００４】
製品に関する情報伝達における最近の傾向（動向）として、各ボックス毎に情報を特定することが必須条件になっている。たとえば、各ボックスは、ロット番号やシリアル番号及びカスタマー注文番号を含み、その内容物や製品の最終目的地に関する特定の情報を保持することが可能である。その情報は、典型的には、特別の注文に応じて作られ需要に応じてボックス上への貼着時にプリント（印刷）されるラベルに表示される。これは、典型的には、それがボックスに貼着される前に、「可変」情報をラベル上にプリントする能力として知られているものである。プリントされるラベルを開示する２つの特許として、米国特許第５，２９２，７１３及び５，６６１，０９９号がある。
【０００５】
可変情報をプリント（印刷）するための１つのシステムは、インクリボンと特定の熱転写印刷ヘッドとを使用する、ラベル上への熱転写インク印刷に関連するものである。この印刷ヘッドは、コンピュータにより制御され、該ヘッドに入力することで、インクリボン上の個別部位が加熱されるようになっている。このインクリボンはラベルに直接接し、これにより、個別領域が加熱されたときに、インクが溶けてラベルに転写されるようになっている。このシステムを用いる他のアプローチは、熱が（熱ラベル、サーマルラベルに）適用されたときにカラー（色）を変化させるラベルを使用することである。他のシステムにおいて、可変情報は、インクジェット式コーダにより、ボックス上に直接印刷される。そのボックス若しくはラベル上に噴霧（スプレー）されるインクパターンは、コンピュータによって制御されることができる。
【０００６】
熱転写システム及びインクジェット方式によるシステムの何れも、シャープなイメージ（画像）を形成する。インクジェット方式のシステムは、圧電熱連続体を含み、ドロップ・オン・デマンド方式である。インクジェット方式及び熱転写システムのいずれに関しても、印刷の質は、インクが噴霧される面に左右される。可変情報を印刷するための最良のシステムは、インクと印刷支持層とが適切に適合（マッチ）することにより反復可能な質の画像（イメージ）、特に高信頼性をもって電子スキャナで読み取られねばならないバーコード、を形成することができるシステムであるように思われる。
【０００７】
種々の粘着システムは、印刷システムや、コンピュータ制御による加熱印刷ヘッドや、熱転写インクリボンラベル及びライナー用案内システムを組み込んだものとして、入手可能である。幾つかの例として、ダイアグラフ・コーポレイション（ミズーリ州、アース・シティ）によって作られたＰＡ／４０２０デュアル・パネル・プリンタ／アプリケータや、ラベル・アイレ・インコーポレイテッド（カリフォルニア州、フラートン）によって作られた２１３８プリンタ／アプリケータや、ラベリング・システムズ・インコーポレイテッド（ニュージャージー州、オークランド）によって作られた２８００プリント／アプライ・コーナ・アプリケータ、がある。これらのシステムは、裏地を有するラベル（ｌｉｎｅｒｅｄ ｌａｂｅｌｓ）上に印刷する。そのライナーは、ラベル部材（材料）用のキャリアである。これらのシステムは、個々のメッセージをラベル上に印刷し、ライナーからそのラベルを剥がし、そして、その印刷したラベルをボックス上に転写するようになっている。たとえばポリエステル等、ラベルを作ることができる入手可能なその他の部材（材料）は存在するものの、紙製ラベル原料が最も一般的である。これは、熱転写インクを容易に受け入れることができると共に、低価格だからである。
【０００８】
ミネソタ州セントポールのミネソタ・マイニング・アンド・マニュファクチャリング・カンパニ（３Ｍ）は、１９９４年以来、バーコードを備えた（可変情報を有していない）前刷りテープを貼着するための自動装置（モデル番号：ＴＡ１３４０，１３４１及び１３４２）を販売している。このシステムは、ボックスがケースシーラー（容器の閉じ装置）を通して運ばれている間に、コーナラベルをボックス上に適用（粘着）したり、或は、ボックスが開かれる前に、前刷りテープを平坦なボックスに適用することができるようになっている。このシステムは、裏地を有するラベルに対して、廉価であって簡単な代替物（装置）を提供する。
【０００９】
ボックス上に適用（粘着）される印刷可能なテープとして、たとえば、米国特許第４，４２１，８１７号、５，２４２，８８８号、５，３５４，５８８号、５，４７８，８８０号及び５，５６０，２９３号明細書に開示されたものが知られている。しかしながら、こららのテープは、ボックスを密閉する（閉じる）ことができず、また、大変高品質の印刷情報を受け入れることができない。
【００１０】
テープ上に可変情報を印刷することが可能で該テープをボックス上に適用することが可能なシステムは、いずれも３Ｍに譲渡されている同時継続米国出願番号第０９／２０７，８０１及び０９／３３０，５５５号に開示されている。この特許出願は、可変情報をテープに印刷してそれをボックスに適用（貼着）するためのシステムを記載している。
【００１１】
（発明の開示）
本願発明は、テープセグメントを形成するテープロールからのテープ上に情報を印刷するための装置である。この装置は、情報をテープ上に印刷するためのプリンタ（印刷装置）を含む。この装置は、プラテンローラと、プリストリップモータと、オーバーランクラッチベアリングとを備える。このプリストリップモータは、予め、テープをテープロールから剥ぐ（引き離す、引き剥がす）ようになっており、これは、ローラを有している。テープがテープロールから取り外されるときに、このプリストリップモータは、テープの巻きを解く張力（テンション）を制御する。これにより、テープがプリンタを通過するときに、テープはプリンタに対して実質的に均一な速度で供給されると共に、テープの痙攣的な動作（発作的な動作、ぐいと引く動作、断続的な動作）が減じられる。上記オーバーランクラッチベアリングにより、プリストリップモータローラは、プリストリップモータの回転を要することなく、回転することが許容される。
【００１２】
本願発明は、また、テープ上に印刷される情報を変化させるための入力に応答してプリンタを制御し、テープ上に種々の情報を印刷するコントローラ（制御装置）を有する。
【００１３】
印刷されたテープセグメントは、目的物上の貼着される位置（部位）に搬送されて、次のテープセグメントの貼着が実行されるように、その目的物上に貼着されることができる。そのテープセグメントが貼着されるべき目的物は、側面と、コーナ部と、箱が密閉される（閉じられる）シーム（合わせ目、継ぎ目）と、を有するボックス（箱）であることができる。そして、テープセグメントは、ボックスの、その側面の少なくとも１つと、コーナ部と、シームの上に貼着されることができる。また、テープセグメントは、ボックスのシームの少なくとも１つに沿って貼着されることができる。これにより、ボックスは、情報が印刷されると共に運搬時及び取り扱い時に箱の閉鎖を維持するテープセグメント、によって閉じられる。
【００１４】
プリンタは、熱転写プリンタや、インクジェットプリンタや、レーザープリンタであることができる。
【００１５】
本願発明は、また、印刷用装置を用いるところの、ボックスを密閉する（閉鎖する、閉じる）ケース（容器）密閉装置である。
【００１６】
他の実施の形態において、この装置は、プラテンローラと、未プリントテープを供給する装置と、を備えたプリンタを有する。この装置は、印刷されるべき情報を、テープ上の特定の位置（部位）に位置決め（整列、ｒｅｇｉｓｔｅｒ）する。これによって、各テープセグメント上の印刷材料のバリエーションに拘わらず、印刷される特定の情報は、異なったテープセグメント上の所定位置に設けられることが許容される。
【００１７】
この装置は、また、少なくとも１つの固定された端部ローラと、少なくとも１つの移動自在のダンサローラとを有することができる。このダンサローラは、その端部ローラに隣接するスレッドアップ位置であってテープのスレッディング（テープを通すこと、テープを装着すること）を容易化するスレッドアップ位置と、プリンタが作動するところの少なくとも１つのラン位置（動作位置）との間で移動自在である。このダンサローラは、ホーム位置（ホームポジション）と消耗位置とを含む複数のラン位置の間で移動自在であることができる。そのホーム位置において、ダンサローラは、十分（完全）なフェストゥーン位置においてよりも、上記固定された端部ローラからさらに隔てられた位置に位置する。
【００１８】
位置決めセンサ（レジストレーションセンサ）と、中断センサ（ポーズセンサ）とは、ダンサローラが上記ホームポジションに位置しているときに信号を出力するために用いられる。もし、ダンサローラがホームポジションを通過するとき、ポーズセンサがクリアされる（ポーズセンサを通過する）と共にダンサローラがそのホームポジションに復帰するまで、プリンタはテープの印刷を停止する。
【００１９】
他の実施の形態において、上記装置は、テープがプラテンローラの回りに巻き付き始めたか否かを感知するアンチラップセンサとプラテンローラとを有するプリンタを備えることができる。もし、アンチラップセンサがテープを感知した場合には、それは、システムのテープ搬送部に、プラテンローラの動作を停止させる信号を送る。これにより、テープがプラテンローラの周囲に巻き付いてジャミング（誤動作）が生じることが防止される。
【００２０】
上記プリンタは、また、プラテンローラクラッチを備えることができる。このクラッチは、クラッチの係合が解かれたときにプラテンローラの動作を停止させるものである。
【００２１】
他の実施の形態において、本願発明は、テープセグメントを形成するべく、テープロールからのテープ上に情報を印刷するための装置である。この装置は、プリンタと、プラテンローラと、クラッチとを備える。このクラッチは、プラテンローラ上に支持されるオーバーランクラッチ、又は電気クラッチである。そして、このクラッチは、駆動機構からプラテンローラの係合を解いて、テープがプリンタ内を通して装着されることを許容する。
【００２２】
本願発明は、また、所望の全体長さを有するＣ−クリップがロールから切断される前に、テープのＣ−クリップの前面部、上面部及び背面部上に印刷する方法である。この方法は、以下のステップを含む。すなわち、この方法は、（ａ）第１の情報を第１のＣ−クリップの前面部にプリントするステップと、（ｂ）第２の情報を第１のＣ−クリップの上面部に印刷するステップと、（ｃ）第３の情報を第２のＣ−クリップの背面部に印刷するステップと、（ｄ）所望の全体長さの第１のＣ−クリップを形成するべく、必要に応じて、テープを速やかに移動（動作，ｓｌｅｗｉｎｇ）させるステップと、（ｅ）ステップ（ａ），（ｂ），（ｃ）及び（ｄ）を繰り返すステップ、とを含む。
【００２３】
この方法ステップは、（ａ），（ｂ），（ｃ），（ｄ），（ｅ）、及び（ｃ），（ａ），（ｂ），（ｄ），（ｅ）、及び（ｂ），（ｃ），（ａ），（ｄ），（ｅ）、の順序で実行することができる。
【００２４】
（発明を実施するための最良の形態）
本願発明は、情報をテープ上に印刷（プリント）するための装置を含む。このテープは、ボックスやケースのようなコンテナ（容器）等の目的物の面に対して貼着すること（適用すること、貼り付けること）ができる。本明細書を通して、「テープ」という用語は、一般に、ライナー（裏地）を有していない支持層（接着基面、基層）を意味する（ライナーを有する支持層も又使用することができるが）。それは、（自ら巻かれたロール等の）ロールや他の形態で供給されることができ、それは、事前にカット（切断）されていないものである。テープセグメントという用語は、プリント（印刷）等によって、情報を伝達する（運ぶ、有する）ことができると共に面に貼着する（付着する、添付する、貼る）ことができるテープの部分を意味するのに用いられる。テープセグメントは、それがテープの他の部分（残りの部分）から切断される前後において、（もしプリントすることができる場合には）それがプリントされた後のテープを含む。「可変」印刷（「可変」プリンティング）という用語は、要求があり次第、テープセグメントを形成するべく情報がカスタマイズされる印刷を意味する。情報とは、言葉やシンボルやグラフィクスやバーコードやホログラムを含む、あらゆる情報である。
【００２５】
本願発明のシステムは、情報をテープ上に印刷して、テープセグメントを形成するようにしたものである。そして、このシステムは、内容（物）が無限に変化したとしても、また１つの供給ロールから繰り出されるその長さが無限に変化したとしても、これを考慮することができるように、各テープセグメント上に配置される情報を任意に変化させることができるようになっている。このシステムは、ボックス（箱）が不動である間や、（ボックスが閉じされている間や密閉されている間のように）ボックスが移動している間に、印刷されたテープセグメントをボックス上に貼着（添付、貼る）することができる。このシステムは、テープセグメントをボックスの側面に貼着することができ、情報コンベアーとして機能することができる。或は、それは、テープセグメントを、Ｌクリップとして、ボックスのコーナ上に貼着したり、Ｃクリップとして、ボックスのシーム（合わせ目、継ぎ目）に沿って貼着したり、することができる。これにより、情報を運んだり、（印刷を行わない）ボックス閉鎖装置として機能させたり、或は、情報伝達（運搬）装置とボックス閉鎖装置との組み合わせ装置として機能させたりすることができるようになっている。
【００２６】
本願発明は、使用済みのボックスのリサイクル性を改善するものであり、本願発明により、近年のラベリング装置との比較において、種々の情報を伝達するテープセグメントを提供（形成）するのに要求される材料の量が減じられる。また、本願発明により、ボックスの閉鎖（密閉）と情報伝達との組み合わせが可能になる。このシステムは、上記の如く、テープセグメントをボックス上に自動的に貼着することができる。或は、印刷されたテープは、手作業で貼着することを目的として、分配（提供、ディスペンス）することができる。
【００２７】
このテープは、支持層（裏層、バッキング層）を含む複数層構造を有する単一コート（被膜）感圧接着剤テープであることができる。この支持層は、たとえば、単一の層若しくは複数の層からなるプラスチックフィルム製の支持層であることができる。適切なプラスチックフィルム製支持層は、ポリプロピレン、ポリエチレン、ポリエチレン及びポリプロピレンのコポリマー、ポリビニルクロライド（ＰＶＣ）、ポリエステル、及びビニルアセテートを含む。ポリプロピレンは、１軸配向のポリプロピレン（ＭＯＰＰ）や、２軸配向のポリプロピレン（ＢＯＰＰ）、或は、連続的若しくは同時的２軸配向ポリプロピレン（ＳＢＯＰＰ）を含むことができる。この支持層材料は、腐敗可能であるもの、分解可能であるもの、色が付いたもの、プリントされたもの、であることができ、また、異なった面テクスチャー（ｓｕｒｆａｃｅ ｔｅｘｔｕｒｅｓ）を有するもの、或は、エンボス加工されたもの、であることができる。感圧接着剤は、上記支持層の片側上にコーティングされる。また、（低粘着バックサイズ層（ＬＡＢ）等の）剥離層（解放層）は、任意に、反対側にコーティングされ、これにより、テープがロール状に巻かれている場合に、テープが自ら解かれることが許容される。
【００２８】
感圧接着剤テープ上の或る種の剥離用コーティングは、印刷されるようには意図されていない。従って、インクが確実に固定されないかも知れない。なぜなら、剥離用コーティングの面に対するインクの接着（力）が小さいからである。そのインクは、通常の使用状態下において、容易に磨耗したり（磨り減ったり）、損なわれたり、変形したりする可能性がある。本願発明のテープ上の剥離コーティングは、たとえば、フレキソ印刷に用いられるプロセスや熱転写方法からのインクを受け入れることができる。この剥離コーティングは、支持層（バッキング）の面に対するゴミ（ほこり）の付着を防止したり、ゴミがテープの走査性（ｓｃａｎｎａｂｉｌｉｔｙ）に影響を与えることを防止したりすることができる。剥離コーティング上に印刷する適合可能な（和合可能な）インク転写リボンを用いることにより、インクが磨り減ることがないような十分に高い固定レベルを達成できる。剥離コーティングの組成は、接着剤（粘着剤）の組成に対して適合性（和合性）を有するものであることができ、たとえば接着剤の組成に転移せしめられるなどによっては、テープの接着剤の性質（特性）を劣化させることはない。
【００２９】
ロール形状のテープのＬＡＢ層用剥離コーティングの組成は、シリコン、アルキル、若しくはフルオロケミカルの構成要素、若しくは剥離させるためのコンポーネントとしての組み合わせ（コンビネーション）、を含むことが可能である。本願発明に用いられる有用な剥離コーティングの組成は、米国特許第５，２１４，１１９号、５，２９０，６１５号、５，７５０，６３０号、及び５，３５６，７０６号明細書に記載されているような、シリコンポリウレタン、シリコンポリ尿素、シリコンポリウレタン／尿素等のシリコン含有ポリマーを含み、また米国特許第５，０３２，４６０号、５，２０２，１９０号、及び４，７２８，５７１号明細書に記載されているシリコンアクリレートグラフトコポリマ（共重合体）を含む。他の有用な剥離コーティングの組成は、米国特許第３，３１８，８５２号明細書に記載されているようなフルオロケミカル含有ポリマーや、米国特許第２，５３２，０１１号明細書に記載されているようなポリビニルＮ−アルキルカルバメート（たとえば、ポリビニルＮ−オクタデシルカルバメート）等のポリマー含有長アルキル側鎖や、米国特許第２，６０７，７１１号明細書に記載されているようなコポリマー含有高アルキルアクリレート（たとえば、オクタデシルアクリレートや、ベヘニルアクリレート）や、或は、米国特許第３，５０２，４９７号及び４，２４１，１９８号明細書に記載されているような、アルキル側鎖が約１６〜２２の炭素原子を含むところのアルキルメタクリル酸塩（たとえば、ステアリルメタクリル酸塩）、を含むことができる。
【００３０】
これらの剥離ポリマー（解放ポリマー、終結ポリマー、ｒｅｌｅａｓｅ ｐｏｌｙｍｅｒｓ）は、剥離コーティング組成をなすべく、互いにブレンドされることができ、また、熱硬化性樹脂若しくは熱可塑性フィルム形成ポリマーとブレンドされることができる。加えて、他の添加剤は、充填剤や顔料（着色剤）や湿潤剤や粘性モディファイアーや安定剤や酸化防止剤や橋かけ結合剤等の剥離コーティング組成において用いられることが可能である。
【００３１】
接着（剤）層の支持層に対する接着力（粘着力）を増大させるために、種々の他の層、たとえばプライマ層等、をテープに付加することができる。また、印刷材料は、接着剤（粘着剤）の下若しくは上に位置する支持層の第１の側に位置することができる。或は，印刷材料は、あらゆるＬＡＢ層の下若しくは上に位置する支持層の第２の側に位置することができる。この印刷材料は、宣伝（公告）や支持のような、あらゆる情報であることができる。また、テープの不透明性を変更するために、インクの付加的なフラッド層若しくは同様のコーティング（被覆剤）を用いることができる。このテープは、デオドラント（脱臭剤）や香料や静電気防止剤や、カプセルに収容されたクリーニング剤（薬）を含むことができる。また、支持層の剥離特性は、該支持層と接着剤とが協働して所望の巻き解し特性（ほぐれ特性、解き特性）を実現するように、変更することが可能である。この支持層の剥離特性は、たとえば、小さい面エネルギー組成や、プライミングや、コラナ放電や、炎を用いる処理や、粗面処理や、エッチングや、これらの組み合わせ、を適用することによって変更することが可能である。
【００３２】
多くのタイプの接着剤を用いることが可能である。この接着剤（粘着剤）は、ホットメルトコーティング剤や、転移（転写）コーティング剤や、溶剤コーティング剤や、水性剤や乳濁剤を含むことができる。本願発明において有用な接着剤の例として、ポリアクリレートや、ポリビニルエーテルや、天然ゴムやポリイソプレンやポリイソブチレン等のジエン含有ラバーや、ポリクロロプレンや、ブチルラバーや、ブタジエンアクリロニトリルポリマーや、熱可塑性エラストマーや、スチレンイソプレンやスチレンイソプレンスチレンブロックコポリマーや、エチレンプロピレンジエンポリマーやスチレンブタジエンポリマー等のブロックコポリマーや、ポリ（アルファ−オレフィン）や、アモルファスポリオレフィンや、シリコンや、エチルメタクリル酸塩やエチルアクリレートやビニルアセテートとエチレンとのコポリマーや、ポリウレタンや、ポリアミドや、エポキシ樹脂や、ポリビニルピロリドン及びビニルピロリドンコポリマーや、ポリエステル、の一般的な組成に基づく接着剤や、上記の混合物が含まれる。
【００３３】
加えて、その接着剤は、粘着性付与剤や、可塑剤や、充填剤や、酸化防止剤や、安定剤や、顔料（染料、色素剤）や、拡散粒子や、硬化剤や、溶剤等の添加剤を含有することができる。
【００３４】
有用な添加剤は、感圧接着剤を含む。感圧接着剤は、通常、常温で粘着性を有し、小さい指圧を作用させるだけで面に粘着（接着、貼着）させることができる。有用な感圧接着剤に関する一般的な記載は、エンサイクロペディア・オブ・ポリマー・サイエンス・アンド・エンジニアリング（第１３巻、ウィレイ−インターサイエンス・パブリッシャ（ニューヨーク、１９８８年））の中に見出すことができるかも知れない。有用な感圧接着剤に関する付加的な記載は、エンサイクロペディア・オブ・ポリマー・サイエンス・アンド・テクノロジー（第１巻、インターサイエンス・パブリッシャ（ニューヨーク、１９６４年））の中に見出すことができるかも知れない。
【００３５】
本願発明は、周知の印刷システム、若しくは、米国特許出願第０９／２０７，８０１号に記載されているようなユニークな可変印刷／粘着システム、と組み合わせて用いることが可能である。このシステムは、また、米国特許出願第０９／３３０，５５５号に記載されているような装置の改良装置である。この後者のシステムによれば、情報が１セットの部位に繰り返し繰り返し印刷されることが許容されるようになっており、印刷情報が各テープセグメント上に位置決め（整列、ｒｅｇｉｓｔｅｒ）されるようになっている。そして、当該装置により、テープがテープロールから取り外されるときに、テープの巻きを解くテンションは制御されて、テープがプリンタに実質的に均一な速度で送られるようになっている。これにより、痙攣的な動作が最小限にされる。
【００３６】
本願発明により、周知のテーピングヘッドを用いて、プリント（印刷）のボックス上での整列（位置決め）が許容される。
【００３７】
テープ上における整列マーク（位置決めマーク、ｒｅｇｉｓｔｒａｔｉｏｎ ｍａｒｋｓ）は、必要ではない。
【００３８】
他の実施の形態において、貼着に用いられるテープセグメントの長さは、検知装置によって検知されたマーク（印）により起動せしめられる装置を用いて、変化させることができる。周知のシステムは、ライナー上にダイカットラベルを使用しており、これは、ユーザーにどのようなラベルの寸法が必要であるかを決定することを要求するものであり、そして、ユーザーに各貼着に向けてこの寸法のラベルを保管することを要求するものである。本願発明を用いることにより、単一のインプットロール（入力ロール）のテープを使用して、無限の数の長さを有する異なったテープセグメントを形成することが可能になる。テープセグメントのその長さは、整列マーク（位置決めマーク）が印刷（プリント）されている部位に依存する。これにより、テープ上に種々の情報を印刷できるだけでなく、印刷されるメッセージの必要条件に適合させるべく各テープセグメントの長さが調整される。このテープセグメントの幅は、同一の供給ロール源から、一定になっている。
【００３９】
テープは、幾つかの方法で、印刷されることができ、また、ボックスの面に貼着されることができる。そして、このシステムは、ケースシーラー（ケース閉じ装置）に設けられることができる。１つの実施の形態を、図１に示している。プリンタ（印刷装置）１８は、テープセグメント８を形成するべく、テープ１４上に所望の情報を印刷する。このプリンタ１８は、データマックス・コーポレイション（フロリダ州、オーランド）からのモデルＰＥ４２等の市販のプリンタや、類似のプリンター、或は、変形された若しくは変形されていないプリントエンジンであることができる。これらは、ケースシーラー９上に設けられる。入力に基づき、コントローラ２０は、プリンタ１８に、テープ１４上に何を印刷するべきか、また、テープセグメントの長さが如何程であるかを伝える。
【００４０】
印刷終了後、テープセグメント８の切断前若しくは切断後のいずれかにおいて、貼着装置２２は、テープセグメント８をボックス６の面上に貼着する。この貼着装置２２は、アキュミュレイタ２４を有することができる。このアキュミュレイタ２４は、ダンサアーム２６と、貼着アーム（アプリケータアーム）２８とを有することができる。このダンサアーム２６は、たとえば解像度やテープセグメントの長さやリボンのタイプやプリンタのブランド等の特性に準じて、一般に２５．４〜５０．８ｃｍ／ｓ（１０〜２０ｉｎ／ｓ）で動作するケースシーラー９と、熱転写プリンタ用として（インクジェットプリンタは、より早く動作する）一般に５．１〜３０．５ｃｍ／ｓ（２〜１２ｉｎ／ｓ）で動作するプリンタ１８との間の速度におけるあらゆる相違を補償するのに必要な量のテープ１４を供給することができる。また、ダンサアーム２６は、本質的に、プリンタ１８の出力において、そのテンションを均一に保つ。これにより、テープ１４の引き過ぎにより生じる不正確さが取り除かれる。選択的に、ダンサアーム２６を不要にするために、ケースシーラ９は、プリンタと同一の速度で動作することができる。このダンサアーム２６の代替物は、（不図示の）オープンループシステムである。該システムにおいて、テープ１４は、プリンタ１８から供給され、垂下してループを形成し、そしてテーピングヘッドに向けて移動する。フォトセンサー等の検知装置（ディテクタ）は、最小（限）のループが何時形成（達成）されたかを検知し、該検知装置により、プリンタ１８による印刷の再開が許容される。テープのテンション（張力）を維持すると共にケースシーラーの速度に対してプリンタの速度を適合（マッチング）させるための他のシステムを用いることができる。
【００４１】
ダンサアーム２６（若しくはオープンループ）を去った後、印刷された（テープセグメントとしての）テープ１４は、貼着アーム２８に向けて移動する。ケースシーラー９を通して搬送されたボックス６がテープセグメントが位置している貼着アーム２８に当接したとき、印刷されたテープセグメントは、ボックス６に貼着（粘着、接着）される。ボックス６の移動（動き）により、貼着アーム２８は、軸を中心として回動せしめられると共に、貼着ローラ３０は、ボックス６の１側面に沿ってテープセグメントを貼着する。Ｌ−クリップに関して、貼着アーム２８上の貼着ローラ３０がボックス６のコーナに達したとき、それは、当該コーナの周囲で回転し、当該１ピース（１片）のテープを当該コーナの回り及びボックス６の隣接側面に貼着する。Ｃ−クリップに関して、テープは、ボックス６の前面と、上面と、背面とに貼着される。この方法は、上テーピングヘッド、下テーピングヘッド、側面設置ヘッド、に対して用いることができる。他のバージョンの貼着装置（アプリケーター）を使用することも、また、可能である。
【００４２】
テープセグメントは、あらゆるタイプの切断装置（不図示）により切断することができる。要求されるテープセグメントの情報と共に整列マーク（位置決めマーク）が印刷されるようにしたところの１つの実施の形態において、当該整列マークがフォトセンサ等の検知装置（ディテクタ）を通り過ぎるとき、エアシリンダが起動せしめられる。これにより、貼着アーム２８は収縮せしめられ、テープ経路は変更される。新たなテープ経路は、上記切断装置の平面を交差する。ボックス６の継続的な動作（動き、移動）により、テープセグメントは切断される。そして、ボックスがこの装置から出て行く迄の間、ボックスは継続する。整列マークがテープの残りの部分からフォトセンサを通過するとき、エアシリンダは、そのホームポジションに復帰する。プリンタ１８は、その貼着工程（貼着プロセス）から独立して、前もってセットされたものとして印刷する。他の実施の形態において、テープは、周知のテーピングヘッドに存する標準的な切断装置によって切断される。切断を行なうための他の装置も、また、用いることが可能である。
【００４３】
他の実施の形態において、テープをボックスの側面に貼着するために、平坦面貼着装置（ＦＳＡ）を用いることができる。プリンタとダンサアームとは、貼着装置の前のウェブ経路に位置する。このシステムをもって、種々の長さと情報を有する１つまたはそれ以上のテープセグメントが、ボックスの同一の側面に貼着されることができる。テープ上の整列マークは、テープセグメントの長さを決定する。ボックス上のマーク（印）若しくはタイマーが、その貼着を開始する。
【００４４】
真空パッド、真空ベルト、及び真空ホイールシステムも、また、使用することが可能である。真空ホイールシステムにおいて、テープに印刷後、それは真空ホイールによって捕捉され、テープセグメントは切断される。この真空ホイールは、必要なときには、テープセグメントを位置決めするために、軸上で回転若しくは運動する。このホイールは、ホイールがテープセグメント８を受け取る第１位置と、テープセグメント８がボックス等の面上に貼着される第２位置との間で移動する。制御装置（コントローラ）は、テープセグメントを貼着するべく、いつ真空ホイールが第２位置に移動せしめられるべきか、どの位の間真空ホイールが面に隣接して位置するか、そして、いつ真空ホイールが第１位置に復帰して他のテープセグメントを受け入れるか、を制御するために用いられる。このシステムは、コーナテープセグメントと同様に２つのサイドテープセグメントを貼着するように構成されることができる。
【００４５】
多数のテープに関して、たとえばライナーを備えていないラベルストックに関して、ロールからテープを容易にスムースに解くことと、印刷を固定すること、との間には交換条件（トレードオフ）が存在する。もし、容易にスムースに巻きを解くことを許容するのに十分に小さい、巻きを解く力を必要とする剥離層が用いられた場合には、熱転写インクは、テープに貼着（付着、接着）しないであろう。一般に、テープの接着剤を有する側面の反対側に位置する支持層には、シリコンや他の剥離剤が塗布されている。これにより、接着剤と支持層との間の貼着（付着、接着）力は減じられ、巻き解し（巻きを解くこと）がぎくしゃくせずに滑らかなものとなる。インクは、或る種のタイプの剥離剤に対して、うまく付着しない。しかしながら、テープに対してインクを良く付着させたり固定したりする剥離剤は、一般に、テープの巻き解しを滑らかに行なうことができないものである。もし、テープの巻き解し時にテープが痙攣的になる（ぎくしゃくする）場合、テープがプリンタを通過するときに痙攣的になって印刷される情報に欠陥を生じさせるであろう。これは、特に、バーコードや他の正確な情報を印刷するときに有害なものとなる。これは、本願発明の巻き解しにおける観点により解決される。つまり、プリンターに対するテープの滑らかな搬送のために、印刷可能な剥離剤コーティングを有するテープを熱転写プリンターに用いることができる。このテープの構造は、巻き解しの性質の重要性がより小さいため、印刷の品質を最も優れたものとするために最適化することができる。
【００４６】
図２〜４は、概略的に、プリンターを通してのテープの運動（移動）の痙攣的な動作を防止すると共にテープ上に情報を位置決めする（整列させる）ことを可能ならしめる、本願発明の１つのシステムを示している。これらの２つの特徴を１つの実施の形態に示している。しかし、それらは、独立的に使用することが可能であり、それらは、分離して記載されるであろう。フレームのプレート上に設けられることができるシステム４０は、プリントをテープセグメント８上に整列（位置決め）するためのオープンループ制御システムを用いることが可能である。これは、図２〜４の左側に示されている。テープ１４は、供給ロール１６のようなテープ供給源から受け取られ、それは、プリンター１８に供給される。このプリンター１８から、テープ１４は、ケースシーラー９のテーピングヘッドへ移動する。プリンター１８とテーピングヘッドとの間のテープ経路には、第１アキュミュレータキャリッジ４２が位置している。この第１アキュミュレータキャリッジ４２は、第１アキュミュレータ４１の一部分である。この第１アキュミュレータキャリッジ４２の移動（運動）を検知するために、少なくとも１つのセンサ４４が位置している。
【００４７】
システム４０は、また、オープンループ制御システム若しくはアキュミュレータシステムを用いる。これにより、巻き解しが痙攣的である性質（特徴）を有しているテープは、プリンター内を滑らかに通過する。これは、図２〜４の右側に示している。供給ロール１６から供給されるテープ１４は、供給側アキュミュレータキャリッジと称する第２アキュミュレータキャリッジ４６と、第２センサ４８との回りを通過する。この第２アキュミュレータキャリッジ４６は、第２アキュミュレータ４５の一部分である。モータ５２若しくは他の駆動装置により駆動されるプリストリップローラ（前解しローラ、前もって剥離させるローラ）５０は、供給ロール１６からテープ１４を引っ張ることができる。エアーシリンダ若しくは他の装置により作動せしめられる機械的アームは、プリストリップ（前解し、前もって剥離させること）を補助するために、モータの代わりに用いられることができる。テープ１４を案内するために、一連のアイドルローラ５４が、テープ経路に沿って位置している。
【００４８】
図２〜４に示す如く、供給ロール１６からテーピングヘッドへのテープ１４の経路は、次の通りである。供給ロール１６からのテープ１４は、プリストリップローラ５０の回り、及びアイドルローラの回りを通過する。次いで、テープは、それ自身ローラ５６を含むことができる第２アキュミュレータキャリッジ４６を通過し、そして、他のアイドルローラ５４の周囲を通過する。次いで、テープは、プリンタ１８と、１つ若しくはそれ以上の付加的なアイドルローラ５４の回りを通過する。そして、該テープは、それ自身ローラ５６を含むことができる第１アキュミュレータキャリッジ４２を通過し、テーピングヘッドに向かう途中で、付加的なガイドローラ５８の回りを通過する。アイドルローラ５４とガイドローラ５８との数及び位置は、システム４０とケースシーラ９の両方の構成に適合するように、必要に応じて変化させることが可能である。
【００４９】
テープセグメント８を形成するべく、テープ１４の長さを変化させる点において、或は、（テープ上に同一若しくは異なった情報を有する）実質的に同一長さのテープ１４を使用する点において、各テープセグメントがボックス６上の適切な位置（しばしば同一位置）に情報を有していることを確実なものとするために、テープの長さを制御することが必要であるかも知れない。これは、テープセグメントの上に、印刷される情報を位置決めすることを必要とする。このシステム４０により、ボックス６をシールする（閉じる、密閉する）ために用いられると共にあらゆる方法で貼着されることができる一続きの長さのテープ１４が、印刷され、ボックスに貼着されるようにすることが許容される。これにより、印刷された情報は、各ボックスの実質的に同一位置（部位）に表示される。たとえば、製品の記載やバーコードは、各端部パネルのテープの脚（図１参照）に印刷されることができ、これにより、運搬用パレットに積載されたとき、それを見ることができる。システム４０を用いる、印刷情報のテープセグメント上への位置決め（整列）は、次の通りである。図２に示すスタート位置において、テープ１４は、貼着ローラ３０上にある。そして、ボックス６は、ケースシーラー９内に搬送され、ボックス６は、テーピングヘッド上のテープ１４に当接している。これにより、テープ１４は、第１アキュミュレータ４１から引っ張られる。図３に示すように、この第１アキュミュレータ４１により、第１アキュミュレータキャリッジ４２は、下に引っ張られるようになっており、これにより、テープがボックスに供給される。
【００５０】
第１アキュミュレータキャリッジ４２の下方向の動作を検知したとき、センサ４４は、プログラム可能な論理的制御装置（ＰＬＣ）の如くコントローラ６０に信号を送る。このコントローラ６０は、プリンター１８に信号を送り、プリンタに印刷を開始するように命令する。プリンタ１８は、所定長さのテープセグメントを形成するべく、要求された情報を印刷する。印刷材料の長さは、ボックス上への平均的なテープ貼着長さよりも僅かに小さくあるべきである。これにより、印刷（印字）は、テープセグメント８のエッジに至るまで延在しない。
【００５１】
テーピングヘッドは、先に印刷されたテープセグメントをボックス９に貼着し、それをあらゆる適切な方法で切断する。テープがボックスに貼着された後、アキュミュレータ４２は、上方に、そのスタート位置に向けて移動する。これは、プリンタ１８がまだ印刷しているからである。プリンタ１８がその印刷を終えた後、プリンタは、コントローラ６０に信号（シグナル）を送る。もし、キャリッジが（図３に破線で示すような）その初期位置にまだ復帰していないためにセンサ４４が第１アキュミュレータキャリッジ４２を検知しないときには、センサ４４が図２に示すそのスタート位置に復帰した第１アキュミュレータキャリッジ４２を検知するまで、コントローラ６０は、テープ１４を速やかに移動させるための（印刷せずに供給するための）信号をプリンタ１８に送る。図４は、図２に示しているのと同一の位置にある第１アキュミュレータキャリッジ４２を示している。これらの図は、第２アキュミュレータキャリッジ４６の位置において相違している。
【００５２】
他の実施の形態においては、図５〜７を参照して説明すると、第１アキュミュレータ４１は、固定された一連の端部ローラ７２と、図５においては視認できない）キャリッジ７６に設けられた動作（移動）用のダンサローラ７４と、を備えたアキュミュレータ７０により置換されている。キャリッジ７６は、装置７８によって付勢されている。この装置７８は、たとえば、トルクモータ、電気モータ、空気シリンダ、スプリング、或は釣り合い重りであることができる。これらのうち、その最初の４つのものは、釣り合い重りとの比較において応答時間が改良されたものであり、該４つのものは、また、種々の方向性において用いられることができるものである（重りは、垂下しなければならない）。図２〜４に示した構成は、第１アキュミュレータ４１を付勢するための重りを使用している。図に示すように、図５〜７の実施の形態において、アキュミュレータ７０のキャリッジ７６は、横方向に移動する。
【００５３】
プラテンローラ８０上のオーバーランクラッチベアリング８２若しくは電気クラッチにより、テープ１４は、プラテンローラ８０上に巻かれ、該テープ１４は、手作業により、スレッドアップにおいて、プリンタ１８を通して容易に引っ張られることが許容される。クラッチ８２は、回転させる（方向を変化させる）ことが困難である駆動機構からプラテンローラ８０の係合を解く。提供される２つの動作（作動）モードは、ラン（往復、ｒｕｎ）とスレッドアップ（ｔｈｒｅａｄ−ｕｐ）である。
【００５４】
図５〜７は、システム４０’に関して、３つの状態を示している。図５において、このシステムは、スレッドアップ位置にある。図６は、キャリッジ７６とダンサローラ７４とが第１位置に位置しているラン状態であり、図７は、キャリッジ７６とダンサローラ７４とが第２位置に位置しているラン状態である。図６は、ホーム位置（ホームポジション）であり、図７は、特定動作のために、最小限のテープがアキュミュレータ上にある消耗位置である。図示の目的のみにおいて、図５（及び図９）は、キャリッジ７６がベースプレート６９の背後に位置しており、ダンサローラ７４がスロット７３を通して突出している実施の形態を示している。図６及び図７は、キャリッジ７６がベースプレート６９の前に位置している実施の形態を示している。実際には、図５〜７のその３つの状態は、同一の構成（構造）を有するであろう。
【００５５】
上記スレッドアップ位置において、ダンサローラ７４は、図５に示す位置にある。これらのダンサローラ７４は、手動で移動させたり、或は、モータ若しくはエアシリンダで移動させたりすることができる。このシステム４０’は、図示の如く、ローラ７２，７４を通過するテープ１４が装着されるようになっている。装着後、ダンサローラ７４は、掛け金が外される。装置リセットボタンが押されると、ダンサローラ７４は、図６に示すように、ケースシーラがボックスの高さと幅に適合するように調整されるホーム位置に移動する。（図９に示す）ホームポジションセンサ（レジストレーションポジションセンサ、整列位置センサ）８６が、ボックスの長さに適合するように調整される。したがって、このホームポジションにおいて、ダンサローラ７４は、図７の最小のテープアキュミュレーションの位置（消耗位置）の右側に対して、不特定数のあらゆる位置に位置せしめられることができる。
【００５６】
上記ランモードにおいて、図６及び図７に示すように、ダンサローラ７４は、システム４０’の右側における所定位置に移動せしめられる。この所定位置は、図５のスレッドアップ位置におけるよりは、端部ローラ７２から離れた位置にある。このダンサローラ７４は、図６のホームポジションと、図７のポジションとの間で移動する。ボックス６は、ケースシーラ内には入って、テープ１４に当接する（ダンサローラ７４は、図６の位置に位置している）。テープ１４は、ボックス６に貼着され、ボックスは、テープを引っ張り始める。テーピングヘッドは、ガイドローラ５８と貼着ローラ３０とを有しており、このテーピングヘッドは、テープを、いつものように、ボックス６の前面、上面、及び背面に貼着する。テープ１４がシステムから引っ張られるとき、（フェストゥーン（ｆｅｓｔｏｏｎ）を形成する）キャリッジ７６は、ホームポジションから左側に引っ張られる。図９に示す上記レジストレーションセンサ８６は、いつ、アキュミュレータ７０のキャリッジ７６がホームポジションを離脱したかを検知して、コントローラ６０に信号を送る。ここで、コントローラ６０は、プリンタ１８に印刷を開始させる信号を送る。プリンタ１８は、印刷領域において、１０〜２５ｃｍ／ｓ（４〜１０ｉｎ／ｓ）の速度で、続くテープセグメントに印刷する。そして、プリンタ１８は、非印刷領域において、約３０ｃｍ／ｓ（１２ｉｎ／ｓ）の速度で、テープを移動させる（印刷せずに供給する）。ボックス６は約３８ｃｍ／ｓ（１５ｉｎ／ｓ）の速度で、ケースシーラ９により搬送される。この速度は、テープが印刷されるよりも速い。アキュミュレータ７０に蓄積されたテープ１４は、これが生じることを許容する。印刷が完了したとき、プリンタは停止して、コントローラ６０に信号を送る。コントローラ６０は、順次、プリンタにテープの移動を開始させる信号を送る。これは、ダンサローラ７４が図６のホームポジションに復帰するまで、継続する。このようにして、同量のテープが印刷され、該テープは、ボックスがシステムから引っ張られるときに、移動せしめられる。択一的に、ケースシーラ９を通過するボックスの速度は、センサが測定するボックスの速度に基づくプリンタ速度を変化させるか、若しくは、センサが測定するプリンタの速度に基づくボックス速度を変化させることによって、プリンタの速度に適合させることができる。この場合、フェストゥーン（ｆｅｓｔｏｏｎ）は、要求されないかもしれない。
【００５７】
動作時に、（プリンタが印刷せずに）ボックス６がテープ１４をシステム４０’から引っ張るとき、キャリッジ７６は、図において、左方向に移動する。（ボックスがテープを引っ張ることなしに）プリンタ１８がテープに印刷するとき、キャリッジ７６は、図５〜７において、右方向に移動する。ボックス６がテープ１４を引っ張り、プリンタ１８が印刷するとき、キャリッジは、図において、プリントを行わない場合に生じるであろうよりも小さい速度で、左方向に移動する。これは、プリンタがテープ上に印刷するよりも速い速度でボックスがテープを引っ張るためである。
【００５８】
図８を参照すると、テープ１４がプラテンローラ８０の周囲に巻かれ始めたか否かを感知するために、アンチラップセンサ８４が用いられる。破線で示しているように、もし、アンチラップセンサ８４がテープ１４を検知したとき、それは、プラテンローラ８０上のクラッチ８２の係合を解くために、或は、さもなくばプリンタを直ちに停止して仕事を終了させるために、コントローラ６０に信号を送りる。これにより、テープがプラテンローラの周囲に巻きつくことが防止され、また、テープが絡まる（ｊａｍｍｉｎｇ）ことが防止される。この停止は不便なものであるが、しかし、それは、解決するのに長時間を要し得るテープの絡みに対して、大変優れている。その絡みは、部分的には、テープが種々のローラにくっ付いたり、他の面にくっ付くことによるものである。加えて、テンションを維持するために、（不図示の）任意のダンサアームを用いることが可能であり、このダンサアームは、プラテンローラ８０と、第１静止ローラ（端部ローラ７２）との間で生じるテープのあらゆるたるみを取ることが可能である。また、これにより、プラテンローラの巻き付きが防止される。テープがたるむのは、プリンタのステップモータ（ｓｔｅｐｐｅｒ ｍｏｔｏｒ）と、ダンサアームを動作させるダンサキャリッジ付勢装置７８と、の応答時間が相違する結果である。
【００５９】
プリンタヘッドをプラテンローラ８０から離して持ち上げるために、随意に、プリンタヘッド上に（不図示の）折り畳みハンドルを用いることができる。このハンドルは、それが上方位置にあるときに、プリンタから垂直に離れるように広げられる（伸ばされる、開かれる）。これにより、リボン交換時に、アクセスが容易化する。
【００６０】
このシステムは、また、幾つかの新規で役に立つ制御システムの特徴を有している。その１つに、小休止（一時停止、ポーズ）機能がある。光電セル等の、図９に示すレジストレーションセンサ８６とポーズセンサ８８とは、フェストゥーンの移動（動作）を判断する。ダンサローラ７４とキャリッジ７６とが上記ホームポジションに位置しているときに、このレジストレーションセンサ８６は、信号を発する。ボックスがケースシーラ９を通して移動することを停止するときのように、もし、キャリッジ７６がこの位置を越えてポーズセンサの方向に移動するとき、ポーズセンサ８８がクリアされて（ポーズセンサ８８を通過して）キャリッジ７６がホームポジションに復帰するまでの間、テープの印刷の停止を指示するために、コントローラ６０からプリンタに信号が送られる。
【００６１】
テープセグメントがフォーマットされていないときやプリンタが一時停止しているとき、活性化するプリンタからは、印刷準備信号が生成される。これにより、プリンタが印刷準備の状態にないときに、装置内にボックスが供給されることが防止される。
【００６２】
プリンタが印刷を行なっていないとき、それは、媒体を３０．５ｃｍ／ｓ（１２ｉｎ／ｓ）までの速度で供給することができる。これ迄に知られている最大移動速度は、２５．４ｃｍ／ｓ（１０ｉｎ／ｓ）であった。
【００６３】
プリンタ上に位置するその媒体駆動ローラは、減じられた加速度で、速度を変化させる。これにより、遅いフェストゥーンの応答時間に基づくウェブのたるみ（ゆるみ）が防止される。
【００６４】
ホスト移動無視コマンドの設定により、プリンタは、ホストテープセグメントフォーマットにおいて送られる移動速度を無視するように指示されると共に、これに代えて、プリンタは、プリンタ設定メニュからの移動設定を使用するように指示される。ホスト中断コマンドが、アプリケータ（貼着装置）からプリンタに送られる。それは、もし、たとえば、アンチラップセンサがテープの巻きを検知した場合や、ダンサアームがその移動経路の端に位置している場合に、プリンタに対して、最新のテープセグメントの印刷の中断を指示する。また、移動信号が、アプリケータ（貼着装置）からプリンタに送られる。そして、移動信号は、プリンタに対して、ブランクテープを供給することを指示する。
【００６５】
たとえば、３０ｃｍ（１２ｉｎ）の長さのボックスに貼着されるべきテープセグメントは、約４３ｃｍ（１７ｉｎ）の長さに構成されるであろう。これは、上面に沿って３０ｃｍ（１２ｉｎ）のセグメントＢと、前面と背面の夫々に７．１ｃｍ（２．５ｉｎ）のセグメントＡとＣとを含み、移動調整のために、１．２ｃｍ（０．５ｉｎ）が差し引かれるであろう。このテープは、セグメントＡ、次いでセグメントＢ、次いでセグメントＣの順序で、印刷されることができる。これは、図１０に示している。
【００６６】
発明者は、（セグメントＣが第１ボックスの背面側のセグメントになり、セグメントＡ及びＢが第２ボックス上に貼着されるべき前面セグメントと上面セグメントになるように）情報をテープ上にＣＡＢの順序で印刷することにより、図１１に示すように、この点に関して改良を行なった。これにより、テープの前面部と背面部（セグメントＡ及びＣ）のより多くの部分の印刷が、前面セグメント若しくは背面セグメントにおけるよりはむしろボックスの上面での移動によって、許容される。このプリンタは、移動コマンドが与えられ、当該プリンタは、セグメントＢの端部からボックスの端部（セグメントＣの始め）に移動する。これは、セグメントＣの端部で移動する、上記ＡＢＣの順序の印刷よりも寛大である。なぜなら、それにより、より多くの移動が上面のセグメントＢで行なわれることができるからである。この上面のセグメントＢにおいては、通常、より大きい非印刷領域が存する（レグ（脚、脚部）の方は、より高いパーセンテージの印刷領域を有する）。所定のボックス上に、ＡＢＣの順序で、テープが貼着される。セグメントＣは、第１ボックスの背面に貼着され、次いで、セグメントＡは、第２ボックスの前面に貼着され、そして、セグメントＢは、第２ボックスの上面に貼着される。このテープは、テーピングヘッドにより、セグメントＡとＢとの間で切断される。
【００６７】
この形式（フォーマット）は、次の方法ステップにおいて表現されることができる。すなわち、この方法ステップは、（ａ）第１のＣ−クリップの前面部上に第１の情報を印刷するステップ、（ｂ）第１のＣ−クリップの上面部上に第２の情報を印刷するステップ、（ｃ）第２のＣ―クリップの背面部上に第３の情報を印刷するステップ、（ｄ）所望の全体長さの第１のＣ−クリップを形成するべく必要に応じてテープを移動させるステップ、及び（ｅ）ステップ（ａ），（ｂ），（ｃ）及び（ｄ）を繰り返すステップ、である。上記第１〜３の情報は、あらゆる組み合わせにおいて、同一のもの、若しくは異なったもの、であることができる。図１１に示す如く、上記ＣＡＢの順序を用いる印刷において、これらのステップは、（ｃ），（ａ），（ｂ），（ｄ）及び（ｅ）の順序で実行されるであろう。また、ステップ（ｂ）は、そのプロセス（工程）を開始することができ、そのステップは、（ｂ），（ｃ），（ａ），（ｄ），（ｅ）の順序で実行されるであろう。
【００６８】
本願発明の巻き解しの特徴において、プリンタを通過するテープのテンション（張力）は、良好なインキの付着特性と痙攣的な巻き解し特性とを有するテープがその上に正確に印刷される正確な情報を有するように、制御される。
【００６９】
図２〜６に示すように、モータで駆動されるプリストリップローラ５０は、高牽引力を有しており、このローラ５０は、プリストリップモータ５２によって駆動される。このプリストリップモータ５２は、供給ロール１６と、該供給ロール１６の下流側に位置する第２アキュミュレータキャリッジ４６との間に位置している。モータ５２は、テープ１４を供給ロール１６から引き離すプリストリップローラ５０であってテープ１４を、制御された小さいテンションで、たとえば４．４５〜２２．２４Ｎ（１〜５ｌｂ）で、プリンタ１８に供給するプリストリップローラ５０を駆動する。これは、典型的には高い巻き解し特性を有するか、若しくは痙攣的な巻き解し特性を有するか、若しくはそのどちらの特性をも有する、印刷可能な剥離剤の使用を許容する。そのプリストリップローラ５０により、テープ１４は、供給ロール１６から引き離される。このプリストリップローラ５０は、巻き解しショックの殆どのものを吸収し、制御された均一なテンションでテープ１４をプリンタに供給する。
【００７０】
本願発明の他の観点において、ローラとその支持シャフトとの間に位置しプリストリップモータ５２上に支持されるオーバーランクラッチベアリング、によって、テープ１４は、プリストリップモータ上のローラの周囲に、手作業で容易に装着されることができる。そのローラ（フリーホイル）は、モータを回転させることなく回転させることが許容され、それは、ギアリダクションを有しており、回転させることは困難である。
【００７１】
図２〜４のシステム４０の滑らかな巻き解し動作のシーケンスの特徴は、次の通りである。先ず、第１アキュミュレータキャリッジ４２が（図２に示す）テープを引き始めるとき、プリンタ１８は、その印刷サイクルの中で、テープ１４を引っ張る。これは、第２アキュミュレータキャリッジ４６を引き下げ、これにより、図４に示すように、テープはプリンタ内に供給される。センサ４８がその存在を検知するに十分にアキュミュレータキャリッジ４６が下方に移動したとき、センサ４８は、コントローラ６０に信号を送る。このコントローラ６０は、第１アキュミュレータキャリッジ４２のセンサ４４用に使用されるコントローラとは、独立したコントローラであっても、同一のコントローラであっても良い。このコントローラ６０は、次いで、モータ５２をオンするための出力信号を送る。モータ５２は、プリストリップローラ５０を駆動し、このローラ５０は、供給ロール１６からテープ１６を引き離す。このプリストリップローラ５０により、テープが供給ロール１６から引き離されるとき、第２アキュミュレータキャリッジ４６は、センサ４８をクリア（通過）する。このとき、センサ４８は、もはや、それを検知しない。そして、そのセンサは、プリストリップローラ５０を駆動して供給ロール１６からテープ１４を引っ張るモータを停止させるための信号をコントローラ６０に送る。プリンタ１８が、より多くのテープを引っ張ると、アキュミュレータキャリッジ４６は、所定のテープセグメントが印刷されている間に、上下方向に何度か移動することができる。
【００７２】
第２アキュミュレータキャリッジ４６は、テープに適切なテンションを供給するように構成された適切なあらゆる方法、たとえば、トルクモータや、電気モータや、空気シリンダや、スプリングや、（不図示の）釣り合い重り、によって供給されることができる所定の力によって、釣り合い（平衡）が取られている。
【００７３】
このシステムの変形形態において、２つのセンサ４８を用いることが可能である。一方のセンサはモータ５２をスタートさせ、他方のセンサはそれを停止させるであろう。他の実施の形態において、モータの速度が第２アキュミュレータキャリッジ４６の位置によって決定されるように、アナログセンサとモータコントローラとを使用することが可能である。また、プリンタの要求に応じて、テープを同一速度で駆動するために、ステップモータを用いることができる。
【００７４】
このシステムは、また、ボックスを密閉する（閉じる）感圧接着剤テープ上に情報を印刷するために用いることができる。これにより、二次的な（副次的な）情報伝達テープセグメントの必要がなくなる。これにより、使用されるテープの量が減じられると共に、ケースシーラーの主たるサブコンポーネントが削除される。したがって、このテープは、要求される密閉特性と、インクを受け入れて該インクを保持することができる特性と、が組み合われたものでなければならない。また、情報は、ボックスの側面上で密閉（シール）する脚（レグ）をなすテープの部分上に適用されることができる。これにより、ボックスの上面を見ることなしに、情報を読むことができる（走査することができる）。
【００７５】
この装置は、印刷される所定のテープセグメントであって次のボックス上に直接貼着されないテープセグメントをもって作動する。このテープセグメントは、アキュミュレータやフェストゥーン等の所定の経路を通って曲がりくねっている。これは、テープセグメントが、続いて印刷が行われる幾つかのボックスの上流側にあるボックスに貼着されるためである。１つ以上の前に印刷されたテープセグメントは、所定のテープセグメントが印刷された後であって、所定のテープセグメントが貼着される前に、適用（貼着）されなければならない。択一的に、この装置は、「次のテープセグメントがアウト」であるプロトコール（”ｎｅｘｔ ｔａｐｅ ｓｅｇｍｅｎｔ ｏｕｔ” ｐｒｏｔｏｃｏｌ）に基づき、動作することができる。すなわち、テープセグメントが印刷された後、それらは、１つ以上の前に印刷されたテープセグメントが適用（貼着）されるようにするために、１列に（列を作って）配置される。システムの外側にある次のテープセグメントにおいて、１つのテープセグメントは、印刷されて、貼着されるべき次のセグメントとなる。そこには、印刷されたテープセグメントの累積（蓄積）は存在しない。
【００７６】
付加的な特徴は、本願発明の種々の組み合わせにおいて用いることができる。リボン節約装置の特徴は、テープがプリンタを通して移動しているもののテープ上の長いスペースが印刷されないときに、リボンの供給を停止することができる。標準的なボックス密閉（閉鎖）テープ基材（基層、裏材）や、基材（基層、裏材）のＬＡＢ層上に直接印刷されたインクを溶融させたり固定したりするために、熱を用いることが可能である。択一的に、インクを保護するために、標準的なテープ上に印刷されたインクは、たとえば、ワニスのクリアコートやクリアテープをもって、上に積層されることが可能である。これらの上に積層するプロセス（工程）は、印刷された情報を既に含んでいる領域において、若しくは該領域の近傍において、付加的な印刷を容易化することができる。また、低価格のワックスリボンやインクジェット印刷を用いて印刷される無地の紙片は、紙片よりも幅が広い低価格のクリアフィルムテープをもって上に積層されることが可能である。このフィルムテープは、該紙片の境界を越えて延在することができ、該テープにより、プリントされる感圧接着剤テープセグメントが形成される。
【００７７】
本願発明において、該本願発明の観点や精神から離れることなく、種々の変更を行なうことが可能である。たとえば、示した実施の形態は、熱リボン印刷（サーマルリボンプリンティング）、直接サーマルインクジェットコーディングを使用するが、他の印刷システムも、また、使用することができる。上記テープは、１つ又はそれ以上の領域がブランクになっている状態で、不可変情報をもって予め印刷されることができる。該ブランク内を満たすように、種々の情報を印刷することができる。また、テープの接着部分には、逆画像印刷を行なうことも可能である。所望の使用に向けてシステムをカスタマイズするために、付加的に、図２〜４及び図５〜７の種々の特徴を置き換えることが可能である。
【図面の簡単な説明】
【図１】本願発明のケースシーラー（ケース閉じ装置）及びテープハンドリングシステム（テープ取り扱いシステム）の概略図である。
【図２】第１位置におけるテープハンドリングシステムの概略図である。
【図３】第２位置における図２のテープハンドリングシステムの概略図である。
【図４】第３位置における図２のテープハンドリングシステムの概略図である。
【図５】スレッドアップモードにおける、本願発明の他の実施の形態のテープハンドリングシステムの概略図である。
【図６】第１位置つまりホームポジションにおける、図５のテープハンドリングシステムの概略図である。
【図７】第２位置における、図５のテープハンドリングシステムの概略図である。
【図８】本願発明のテープアンチラップシステムの概略図である。
【図９】本願発明のアキュームレイタセンサの概略図である。
【図１０】周知の印刷の順序を示す、Ｃ−クリップとして適用（貼着）されるべきテープセグメントの図である。
【図１１】本願発明の印刷の順序を示す、Ｃ−クリップとして適用（貼着）されるべきテープセグメントの図である。
【図１０】
2004503411.tif 000003
【図１１】
2004503411.tif 000004
【国際公開パンフレット】
2004503411.tif 000005
2004503411.tif 000006
2004503411.tif 000007
2004503411.tif 000008
2004503411.tif 000009
2004503411.tif 000010
2004503411.tif 000011
2004503411.tif 000012
2004503411.tif 000013
2004503411.tif 000014
2004503411.tif 000015
2004503411.tif 000016
2004503411.tif 000017
2004503411.tif 000018
2004503411.tif 000019
2004503411.tif 000020
2004503411.tif 000021
2004503411.tif 000022
2004503411.tif 000023
2004503411.tif 000024
2004503411.tif 000025
2004503411.tif 000026
2004503411.tif 000027
2004503411.tif 000028
2004503411.tif 000029
2004503411.tif 000030
2004503411.tif 000031
2004503411.tif 000032
2004503411.tif 000033
2004503411.tif 000034
2004503411.tif 000035
2004503411.tif 000036
2004503411.tif 000037
2004503411.tif 000038
2004503411.tif 000039
2004503411.tif 000040
【国際調査報告】
2004503411.tif 000041
2004503411.tif 000042